(57)【要約】【課題】魚の美しい色彩や、好日性サンゴ、海草などの色彩をきれいに再現する、演色性の良い、高演色水槽用メタルハライドランプを提供することを課題とする。【解決手段】両端部に電極を備えた発光管内に、始動用希ガスと、水銀と、３種類のハロゲン化物を封入する。その３種類のハロゲン化物は、ヨウ化ディスプロシウム、ヨウ化セシウム、及びヨウ化インジウムであり、それらの添加量は重量比で、ＤｙＩ3−ＣｓＩ：ＩｎＩ＝Ａ：（Ａ／３〜Ａ／６）の範囲で封入されていることを特徴とする。また、外球内には窒素ガスが封入されている。【選択図】          図１
2004213915.tif 000002
【特許請求の範囲】
【請求項１】
両端部に電極を備えた発光管内に、始動用希ガスと、水銀と、３種類のハロゲン化物を封入し、色度座標上の範囲が ｘ＝０．２３〜 ０.２７ｙ＝０．１７〜 ０.２２である色特性を持ち、平均演色評価数（Ｒａ）が８５以上としたことを特徴とする高演色水槽用メタルハライドランプ。
【請求項２】
前記発光管内の３種類のハロゲン化物は、ヨウ化ディスプロシウム（化学式：ＤｙＩ3）、ヨウ化セシウム（化学式：ＣｓＩ）及びヨウ化インジウム（化学式：ＩｎＩ）であり、それらの添加量は重量比で、ＤｙＩ3−ＣｓＩ：ＩｎＩ＝Ａ：（Ａ／３〜Ａ／６）の範囲で封入されていることを特徴とする請求項１記載の高演色水槽用メタルハライドランプ。
【請求項３】
外球内に窒素（化学式：Ｎ2）ガスが封入されている請求項１または請求項２記載の高演色水槽用メタルハライドランプ。
【発明の詳細な説明】
【０００１】
【発明の属する技術分野】
本発明は、水槽照明用光源として使用される高演色メタルハライドランプに関する。
【０００２】
【従来の技術】
従来、水槽用照明は蛍光灯で行っていたが、蛍光灯は小型メタルハライドランプに比べて光束が低いため（例えば、特許文献１参照）水面を照らしても、その光は水槽上部のところで乱反射してしまい、水槽中部から下部へは到達出来なかった。
近年熱帯魚等の水槽用照明として、小型メタルハライドランプの中で、コンパクトで高演色（平均演色評価数（Ｒａ）が９０以上）、高効率の小型メタルハライドランプ（相関色温度６５００Ｋ）が使用されてきた。又、水槽の中においても自然の海を再現できる、ブル−ランプの小型メタルハライドランプも使用されてきた。
小型メタルハライドランプの場合では、たとえ水深１ｍの水槽であってもその光は充分に水槽下部まで行き届き、水面のゆらぎが水槽下部で見えるため、水槽内が大陽光に照らされた様に再現できる。
小型メタルハライドランプの中で、コンパクトで高演色である相関色温度６５００Ｋは、平均演色評価数（Ｒａ）が９６と良い事から水槽用の照明として使用され始めたが（例えば、特許文献２参照）、水槽の中においても自然の深海を再現できる、ブル−ランプも注目されてきた。
【０００３】
【特許文献１】
特開平１１−２１３９５３号公報（第４頁の表３）
【特許文献２】
特開平１０−３０２７２３号公報（第２頁の請求項１）
【０００４】
【発明が解決しようとする課題】
しかしながら、現在市場で販売されているブル−ランプの小型メタルハライドランプは色度座標上Ｂの範囲  （図５参照）  ｘ＝０．１８〜 ０.２２  ｙ＝０．１１〜 ０.１５であり、４５０ｎｍ付近のブル−の波長が強く出力されているため演色性が悪い。また、ブル−ランプは深海魚には適したランプであるが、水深２ｍ〜１０ｍの水面に近い場所にいる、魚の美しい色彩や、好日性サンゴ、海草などの色彩をきれいに再現する事が出来なかった。
本発明は、上記問題点を解消するためになされたものであり、魚の美しい色彩や、好日性サンゴ、海草などの色彩をきれいに再現する、演色性の良い、高演色水槽用メタルハライドランプを提供することを目的とする。
【０００５】
【課題を解決するための手段】
上記問題点を解決するために、請求項１は、両端部に電極を備えた発光管内に、始動用希ガスと、水銀と、３種類のハロゲン化物を封入し、色度座標上の範囲がｘ＝０．２３〜 ０.２７  ｙ＝０．１７〜 ０.２２である色特性を持ち、平均演色評価数（Ｒａ）が８５以上としたことを特徴とする高演色水槽用メタルハライドランプとした。
【０００６】
請求項２は、前記発光管内の３種類のハロゲン化物が、ヨウ化ディスプロシウム（化学式：ＤｙＩ3）、ヨウ化セシウム（化学式：ＣｓＩ）及びヨウ化インジウム（化学式：ＩｎＩ）であり、それらの添加量は重量比で、ＤｙＩ3−ＣｓＩ：ＩｎＩ＝Ａ：（Ａ／３〜Ａ／６）の範囲で封入されていることを特徴とする請求項１記載の高演色水槽用メタルハライドランプとした。
【０００７】
請求項３は、外球内に窒素（化学式：Ｎ2）ガスが封入されている請求項１または請求項２記載の高演色水槽用メタルハライドランプとした。
【０００８】
請求項１、および請求項２記載の発明によれば、水槽の中において、魚の美しい色彩や、好日性サンゴ、海草などの色彩をきれいに再現する、演色性の良い高演色水槽用メタルハライドランプが得られる。また、請求項３記載の発明によれば、外球内に窒素ガスを封入する事により、外球内に対流が発生し発光管カップ部の動作温度が上昇する。その事によってピンチシール部に添加物が浸入しづらくなり、ランプの長寿命化が図られることを特徴とする請求項１または請求項２記載の高演色水槽用メタルハライドランプが得られる。
【０００９】
【発明の実施の形態】
以下、本発明の実施の形態を実施例に基づき図面を参照して説明する。図１は、本発明の一実施例を示すランプ電力が１５０Ｗの高演色水槽用メタルハライドランプの構成図である。内容積２ｃｍ3の石英製発光管１の両端には一対の電極２が封止されている。同発光管には、ＤｙＩ3が０．００１３mol、ＣｓＩが０．００１８mol、ＩｎＩが０．００１２mol、水銀が４．８ｍｇおよびアルゴンガスが６６５０Ｐａ封入されている。
【００１０】
発光管１は、金属製のスリーブ補助材４によって保持された石英製スリーブ３の中に保持され、両端にある一対の電極２は、それぞれの電気導入線により、ステムのそれぞれの電気導入線と結ばれており、窒素ガスが封入された外球５によって放電灯の形を成している。
【００１１】
図２は、１５０Ｗの高演色水槽用メタルハライドランプにおいて発光管へのヨウ化インジウムの封入量に対する色温度および平均演色評価数（Ｒａ）との関係を示したグラフである。ヨウ化インジウムを０．１ｍｇより０．５ｍｇへと増やしていった場合相関色温度は、１００００Ｋから１０００００Ｋと高くなるが、平均演色評価数（Ｒａ）は、９３から７０と悪くなる。実際に水槽の上部で、ランプを点灯し評価を行った結果、相関色温度２００００Ｋ〜５００００Ｋで、平均演色評価数（Ｒａ）８５以上、平均光束６０００ｌｍという特性が、水槽の中においても、海水魚の美しい色彩や、好日性サンゴ、海草などの色彩をきれいに見せる事が出来た。まさしく、自然の海の水面に近い部分を再現できるような高演色水槽用メタルハライドランプが提供出来た。
【００１２】
本発明による１５０Ｗの高演色水槽用メタルハライドランプにおける分光分布特性、色度座標上の範囲をそれぞれ、図３、図５に示す。図３において、本発明に係る高演色水槽用メタルハライドランプの分光分布が、ブルーランプの同図４に比べて演色性が良くなっていることを示す。また、図５において、図中のＡ領域を示す本発明に係る高演色水槽用メタルハライドランプが、同図中のＢ領域に示されたブルーランプより白色に近い青色のランプ光色を示す。
【００１３】
【発明の効果】
以上説明したように、請求項１乃至請求項３に記載の本発明によれば、水槽の中においても自然の海の水面に近い部分を再現できるようになる。又、魚の美しい色彩や、好日性サンゴ、海草などの色彩もきれいに再現する事が可能となる高演色水槽用メタルハライドランプが得られる。
【００１４】
【図面の簡単な説明】
【図１】本発明に係る高演色水槽用メタルハライドランプの側面図である。
【図２】図１に示す高演色水槽用メタルハライドランプのヨウ化インジウムの添加量に対する色温度及び平均演色評価数（Ｒａ）についての実験結果図である。
【図３】今回発明の相関色温度２００００Ｋ〜５００００Ｋ、Ｒａ８５以上の高演色水槽用メタルハライドランプの分光分布図である。
【図４】ブル−ランプの分光分布図である。
【図５】色度座標上の本発明によるランプの特性範囲をＡに、従来のブル−ランプの特性範囲をＢにそれぞれ示してある。
【符号の説明】
１  発光管
２  電極
３  石英製スリーブ
４  スリーブ補助材
５  外球
６  保温膜
７  ゲッター
８  ガラススリーブ
９  絶縁体
１０  セラミック板
１１  口金
【図１】
2004213915.tif 000003
【図２】
2004213915.tif 000004
【図３】
2004213915.tif 000005
【図４】
2004213915.tif 000006
【図５】
2004213915.tif 000007